(57)【要約】【課題】利用者が最後のページを表示させるため、次キーの長押操作を行って要る場合、従来のようなループ機能を備えた表示装置では、長押操作をやりすぎて、目的の最後のページを超えて画像コンテンツの最初の方のページまでページめくりをしすぎてしまう恐れがあった。【解決手段】所定操作の継続を検知した場合の画像の書換えにおいて、最後の画像を表示した場合画像の書換えを停止する。一方、所定操作を最初に検知した場合は最後の画像を表示中は、先頭の画像に書き換える。【選択図】図１
2011022745.tif 000002
【特許請求の範囲】
【請求項１】
所定の順序で配列する画像群の基データを記憶する記憶部と、
前記記憶部に記憶された基データに基づいて画像を表示する表示部と、
所定操作を検知する操作部と、
前記操作部にたいして前記所定操作が継続して行われていることを所定時間経過ごとに検知する継続検知部と、
前記表示部に表示する画像を書き換える制御を行う制御部と、
を備え、
前記制御部は、
前記操作部により所定操作が検知された場合、順序が最後以外の画像が表示されているときは、前記表示部に表示中の画像を、表示中の画像よりも順序が後ろの画像に書換え、
前記操作部により所定操作が検知された場合、順序が最後の画像が表示されているときは、前記表示部に表示中の画像を、順序が最初の画像に書換え、
前記継続検知部により前記所定操作の継続が検知される毎に、順序が最後以外の画像が表示されているときは、前記表示部に表示中の画像を、表示中の画像よりも順序が後ろの画像に書換え、
前記継続検知部により前記所定操作の継続が検知された場合に、順序が最後の画像が表示されているときは、前記表示部に表示中の画像を書き換えない、
ことを特徴とする表示装置。
【請求項２】
前記制御部は、
前記継続検知部により前記所定操作の継続が検知される毎に、順序が最後以外の画像が表示されているときは、前記表示部に表示中の画像を、表示中の画像よりも順序が２つ以上後の画像に書換え、
前記順序が２つ以上後の画像が存在しない場合は、順序が最後の画像に書き換えることを特徴とする請求項１に記載の表示装置。
【請求項３】
前記表示部以外の出力部を備え、
前記制御部が、前記継続検知部により前記所定操作の継続が検知された場合に、順序が最後の画像が表示されているときは、前記出力部により最後の画像が表示されたことを報知するための出力を行うことを特徴とする請求項１に記載の表示装置。
【請求項４】
前記表示部が、画像を書換え後電力供給が絶たれても表示の維持がされる不揮発性表示部であることを特徴とする請求項３に記載の表示装置。
【請求項５】
所定の順序で配列する画像群の基データを記憶する記憶部と、
前記記憶部に記憶された基データに基づいて画像を表示する表示部と、
所定操作を検知する操作部と、を備えた表示装置のコンピュータに、
前記操作部にたいして前記所定操作が継続して行われていることを所定時間経過ごとに検知する継続検知ステップと、
前記表示部に表示する画像を書き換える制御を行う制御ステップと、
を実行させ、
前記制御ステップとして、
前記操作部により所定操作が検知された場合、順序が最後以外の画像が表示されているときは、前記表示部に表示中の画像を、表示中の画像よりも順序が後ろの画像に書換え、
前記操作部により所定操作が検知された場合、順序が最後の画像が表示されているときは、前記表示部に表示中の画像を、順序が最初の画像に書換え、
前記継続検知ステップにより前記所定操作の継続が検知される毎に、順序が最後以外の画像が表示されているときは、前記表示部に表示中の画像を、表示中の画像よりも順序が後ろの画像に書換え、
前記継続検知ステップにより前記所定操作の継続が検知された場合に、順序が最後の画像が表示されているときは、前記表示部に表示中の画像を書き換えない、ステップを実行させることを特徴とする表示装置のプログラム。
【発明の詳細な説明】
【技術分野】
【０００１】
本発明は、表示装置及び表示装置のプログラムに関するものである。
【背景技術】
【０００２】
従来から、画像の表示を行う表示装置が知られている（例えば、特許文献１）。
【先行技術文献】
【特許文献】
【０００３】
【特許文献１】特開２００８−１９７９５３号公報
【発明の概要】
【発明が解決しようとする課題】
【０００４】
このような表示装置において、所定の順序で配列した複数の画像から構成される画像群を順番に表示させる場合がある。たとえば、複数ページから構成される画像のコンテンツを、１ページずつ表示装置の表示部に表示させる場合である。この場合、表示装置に備えられた次キーを押下することにより、表示装置に表示しているページが次のページに書き換えられる。このような表示装置において、一連の画像群の最後のページを表示している場合に次キーが押下されると最初のページに書き換え、最初のページを表示している場合に前キーが押下されると最後のページに書き換えるループ機能を有する表示装置が知られている。
【０００５】
また、利用者に１ページ書き換えるごとに次キーの押下を行わせるのが面倒であるので、次キーを長押しすることにより、順次ページを次のページに書き換えるような表示装置もしられている。更に、長押しが継続され、表示部に最後のページを表示された後は、次に、最初のページを再度表示させるループ機能を備えた表示装置も知られている。
【０００６】
但し、利用者が最後のページを表示させるため、次キーの長押操作を行って要る場合、従来のようなループ機能を備えた表示装置では、長押操作をやりすぎて、目的の最後のページを超えて画像のコンテンツの最初の方のページまでページめくりをしすぎてしまう恐れがあった。一方、ループ機能の無い表示装置では、最後のページの画像を表示中に、最初のページを表示させたいときは、前キーを押下して最後のページから最初のページまでページめくりを繰り返す必要があった。
【０００７】
本発明は、このような事情に鑑み、所定の順序で配列した画像群を表示させるのに操作性の良好な表示装置を提供することを目的とする。
【課題を解決するための手段】
【０００８】
上述の課題を解決するため、請求項１に記載の表示装置は、所定の順序で配列する画像群の基データを記憶する記憶部と、前記記憶部に記憶された基データに基づいて画像を表示する表示部と、所定操作を検知する操作部と、前記操作部にたいして前記所定操作が継続して行われていることを所定時間経過ごとに検知する継続検知部と、前記表示部に表示する画像を書き換える制御を行う制御部と、を備え、前記制御部は、前記操作部により所定操作が検知された場合、順序が最後以外の画像が表示されているときは、前記表示部に表示中の画像を、表示中の画像よりも順序が後ろの画像に書換え、前記操作部により所定操作が検知された場合、順序が最後の画像が表示されているときは、前記表示部に表示中の画像を、順序が最初の画像に書換え、前記継続検知部により前記所定操作の継続が検知される毎に、順序が最後以外の画像が表示されているときは、前記表示部に表示中の画像を、表示中の画像よりも順序が後ろの画像に書換え、前記継続検知部により前記所定操作の継続が検知された場合に、順序が最後の画像が表示されているときは、前記表示部に表示中の画像を書き換えない、ことを特徴とする。
【０００９】
また、請求項２に記載の表示装置は、請求項１に記載の表示装置が有する特徴に加え、前記制御部は、前記継続検知部により前記所定操作の継続が検知される毎に、順序が最後以外の画像が表示されているときは、前記表示部に表示中の画像を、表示中の画像よりも順序が２つ以上後の画像に書換え、前記順序が２つ以上後の画像が存在しない場合は、順序が最後の画像に書き換えることを特徴とする。
【００１０】
また、請求項３に記載の表示装置は、請求項１に記載の表示装置が有する特徴に加え、前記表示部以外の出力部を備え、前記制御部が、前記継続検知部により前記所定操作の継続が検知された場合に、順序が最後の画像が表示されているときは、前記出力部により最後の画像が表示されたことを報知するための出力を行うことを特徴とする。
【００１１】
また、請求項４に記載の表示装置は、請求項３に記載の表示装置が有する特徴に加え、前記表示部が、画像を書換え後電力供給が絶たれても表示の維持がされる不揮発性表示部であり、
また、請求項５に記載の表示装置のプログラムは、所定の順序で配列する画像群の基データを記憶する記憶部と、前記記憶部に記憶された基データに基づいて画像を表示する表示部と、所定操作を検知する操作部と、を備えた表示装置のコンピュータに、前記操作部にたいして前記所定操作が継続して行われていることを所定時間経過ごとに検知する継続検知ステップと、前記表示部に表示する画像を書き換える制御を行う制御ステップと、
を実行させ、前記制御ステップとして、前記操作部により所定操作が検知された場合、順序が最後以外の画像が表示されているときは、前記表示部に表示中の画像を、表示中の画像よりも順序が後ろの画像に書換え、前記操作部により所定操作が検知された場合、順序が最後の画像が表示されているときは、前記表示部に表示中の画像を、順序が最初の画像に書換え、前記継続検知ステップにより前記所定操作の継続が検知される毎に、順序が最後以外の画像が表示されているときは、前記表示部に表示中の画像を、表示中の画像よりも順序が後ろの画像に書換え、前記継続検知ステップにより前記所定操作の継続が検知された場合に、順序が最後の画像が表示されているときは、前記表示部に表示中の画像を書き換えない、ステップを実行させることを特徴とする。
【発明の効果】
【００１２】
請求項１に記載の表示装置または請求項５に記載の表示装置のプログラムによれば、所定の順序で配列した画像群を表示させるのに操作性の良好な表示装置を提供することができる。所定操作が継続されても最後の画像を表示後は画像が書き換えられることが無いため、最後の画像の検索性が向上する。一方、最後の画像を表示中に最初の画像を表示させたい場合は、所定操作の継続をやめ再度所定操作を行うことで簡単に最初の画像を表示させることができる
請求項２に記載の表示装置によれば、所定操作の継続を検知して表示中の２つ以上後ろの画像に書き換えようとした場合に、その画像が存在しない場合は最後の画像が表示され、その後は、所定操作が継続されても画像が書き換えられることが無いため、最後の画像の検索性が向上する。一方、最後の画像を表示中に最初の画像を表示させたい場合は、所定操作の継続をやめ再度所定操作を行うことで簡単に最初の画像を表示させることができる。
【００１３】
請求項３に記載の表示装置によれば、最後の画像が表示されたことを前記出力部により確実に利用者へ報知することができる。
【００１４】
請求項４に記載の表示装置によれば、不揮発性表示部を備えた表示装置において、最後の画像が表示されたことを前記出力部により確実に利用者へ報知することができる。最後の画像が表示されたことの報知を、不揮発性表示部の表示を書き換えることによって行うよりも、出力部で報知したほうが、消費電力を抑えることができる。
【図面の簡単な説明】
【００１５】
【図１】表示装置１００の外観を示した概略図である。
【図２】表示装置１００のハードウェアの構成を示したブロック図である。
【図３】ＣＰＵ１０１が実行するメイン処理の流れを示したフローチャートである。
【図４】キー監視情報の一例を示した模式図である。
【図５】表示中画像情報の一例を示した模式図である。
【図６】キーイベント監視処理の流れを示したフローチャートである。
【図７】全頁表示処理の流れを示したフローチャートである。
【図８】全頁表示次キー処理の流れを示したフローチャートである。
【図９】拡大表示処理の流れを示したフローチャートである。
【図１０】拡大表示次キー処理の流れを示したフローチャートである。
【図１１】全頁表示画面における画面の遷移の一例を示した概略図である。
【図１２】全頁表示画面における画面の遷移の一例を示した概略図である。
【図１３】拡大表示画面における画面の遷移の一例を示した概略図である。
【図１４】フォルダ一覧画面における画面の遷移の一例を示した概略図である。
【図１５】フォルダ一覧画面における画面の遷移の一例を示した概略図である。
【発明を実施するための形態】
【００１６】
以下に、本発明が適用される第一の実施形態における表示装置１００について説明する。図１に示すように表示装置１００は不揮発性表示パネル１０６と、ＬＥＤ表示部１１１と、操作部１５０とを備える。
【００１７】
不揮発性表示パネル１０６には利用者の操作にともなって各種の画像が表示される。不揮発性表示パネル１０６には、表示装置１００で表示可能な所定形式の画像コンテンツや、表示する画像コンテンツを選択するための選択画面や、表示装置１００で実行可能なメニュー項目を選択するためのメニュー画面等の各種画像が表示される。不揮発性表示パネル１０６に表示される画像は、表示コントローラ１０６（図２参照）により書き換えられる。
【００１８】
不揮発性表示パネル１０６と、不揮発性表示パネル１０６の画像を書き換える制御をおこなう表示コントローラ１０６とにより不揮発性表示部１２０（図２参照）が構成される。表示コントローラ１０６の詳細については後述する。
【００１９】
不揮発性表示パネル１０６に表示された画像は、不揮発性表示部１２０への電力の供給が断たれても表示されたまま維持される。電気泳動型の表示素子やコレステリック液晶等を備えた表示パネルを不揮発性表示パネル１０６として用いることができる。第一の実施形態における不揮発性表示パネル１０６は、電気泳動型の表示素子を備えた表示パネルである。このような不揮発性表示部１２０を備えた表示装置１００は、画像の表示の維持のために電力を消費しない。したがって、画像の表示の維持に電力が消費される従来のＬＣＤ（Ｌｉｑｕｉｄ Ｃｒｙｓｔａｌ Ｄｉｓｐｌａｙ）パネルや、ＰＤＰ（Ｐｌａｓｍａ Ｄｉｓｐｌａｙ Ｐａｎｅｌ）などの自発光型の表示パネルを備えた表示装置に比べ、消費電力が少ないという特徴がある。尚、本発明は、ＬＣＤやＰＤＰ等の自発光型の表示パネルを備えた表示装置にも適用可能である。
【００２０】
利用者が電源のオン、または、電源のオフを指示する際に押下する電源キー１５１と、表示装置１００の電源オン中に利用者が所定の指示を入力するための複数の操作キー１５８とを備える。表示装置１００は、操作キー１５８として、メニューキー１５２と、閉じるキー１５３と、拡大キー１５４と、前キー１５５と、次キー１５６と、１３個の選択キー１５７とを備える。
【００２１】
次に、表示装置１００のハードウェアの構成について図２を参照して説明する。図２は表示装置１００のハードウェアの構成を示したブロック図である。表示装置１００は、ＣＰＵ１０１と、ＲＯＭ１０２と、ＲＡＭ１０３と、ＥＥＰＲＯＭ１０４と、表示コントローラ１０５と、不揮発性表示パネル１０６と、電源制御部１０７と、バッテリー１０８と、メモリカードインターフェース１０９と、メモリカード１１０と、ＬＥＤ表示部１１１と、操作キー１５０と、アダプタ２００とを備える。
【００２２】
ＣＰＵ１０１と、ＲＯＭ１０２と、ＲＡＭ１０３とは、それぞれ協働して後述の各処理を実行する。
【００２３】
ＣＰＵ１０１は、ＲＯＭ１０２に記憶されたファームウェアに従って、表示装置１００の制御を行う。ＲＯＭ１０２は、後述のメイン処理等のプログラムを記憶している不揮発性の記憶装置である。ＲＡＭ１０３は、ＣＰＵ１０１が処理を実行する際にＲＯＭ１０２に記憶されたプログラムや各処理を実行する際に必要なデータを一時的に記憶する揮発性の記憶装置である。
【００２４】
ＥＥＰＲＯＭ１０４は、後述のループ機能の設定等を記憶する不揮発性の書き換え可能な記憶装置である。
【００２５】
メモリカードインターフェース１０９は、表示装置１００に装着されたメモリカード１１０からデータの読み出し、および、メモリカード１１０へのデータの書き込みを行う。
【００２６】
メモリカード１１０は、表示装置１００で表示可能な所定の形式の画像コンテンツを記憶する。メモリカード１１０は、表示装置１００に着脱可能に備えられている。メモリカード１１０に記憶されている画像コンテンツは、周知のパーソナルコンピュータ等のアプリケーションプログラムで作成された文書コンテンツや画像コンテンツから変換された所定形式の画像コンテンツである。メモリカード１１０に記憶されている画像コンテンツは、複数ページの画像のデータを備えている。
【００２７】
不揮発性表示パネル１０６は、アクティブマトリクス方式の表示パネルである。不揮発性表示パネル１０６は、表示面側の透明基板と、透明基板に対向する位置に設けられた背面基板とを有する。透明基板と背面基板との間に電気泳動型の表示素子が設けられている。
【００２８】
表示コントローラ１０６は、不揮発性表示パネル１０６の各ゲートラインへゲート信号を出力するためのゲートドライバ（図示外）と、不揮発性表示パネル１０６の各ソースラインへソース信号を出力するためのソースドライバ（図示外）とを備える。また、表示コントローラ１０６は、ゲートドライバによるゲート信号の出力とソースドライバによるソース信号の出力とを制御する表示コントローラを備える。表示コントローラ１０６は、ＣＰＵ１０１から受信する画像の書き換え指示に従って、書き換える画像に応じたゲート信号とソース信号とを不揮発性表示パネル１０６のゲートラインとソースラインとに出力する。これにより不揮発性表示パネル１０６の各画素電極には電気泳動型の表示素子を制御する駆動電圧が印加され、不揮発性表示パネル１０６に表示された画像は書き換えられる。
【００２９】
電源制御部１０７は、バッテリー１０８とアダプタ２００とに接続されている。電源制御部１０７は、バッテリー１０８またはアダプタ２００の電源から、ＣＰＵ１０１と、表示装置１００を構成する各周辺機器（ＲＯＭ１０２、ＲＡＭ１０３、ＥＥＰＲＯＭ１０４、表示コントローラ１０５、不揮発性表示パネル１０６、メモリカードインターフェース１０９、ＬＥＤ表示部１１１、操作部１５０）への電力の供給の制御をおこなう。電源制御部１０７はアダプタ２００から電力が供給されている場合に、アダプタ２００からの電力をバッテリー１０８に供給し、バッテリー１０８を充電する。また、電源制御部１０７は、画像の書き換え時以外は不揮発性表示部１２０への電力供給を停止する。これにより、画像の書き換え時以外に不揮発性表示部１２０における負荷で消費される電力を抑えている。
【００３０】
アダプタ２００は、コンセントを介して商用電源より入力された交流電力を表示装置１００に合わせた形式の直流電力に変換しそれを表示装置１００へ出力する。アダプタ２００はＡＣ−ＤＣアダプタである。
【００３１】
バッテリー１０８は、リチウムイオン二次電池等の二次電池である。アダプタ２００がコンセントに接続されておらずアダプタ２００から電力の供給がない場合に、バッテリー１０８からＣＰＵ１０１及び各周辺機器に電力が供給される。
【００３２】
ＬＥＤ表示部１１１はＬＥＤを備え、ＣＰＵ１０１からの指示に従ってＬＥＤを発行させる。
タイマー１１２は、ＣＰＵ１０１の指示に従って計時を行う。
【００３３】
操作部１５０は、上述したように電源キー１５１と、複数の操作キー１５８とを備える。操作部１５０は押下された操作キー１５８に応じた信号をＣＰＵ１０１に出力する。これによりＣＰＵ１０１は、利用者によりいずれのキーが操作されたかを判断することができる。
【００３４】
表示装置１００は、表示中の画像と利用者に押下された操作キー１５８の種類に応じて表示中の画像を書き換える。
【００３５】
表示装置１００に表示される画面の種類としては、表示装置１００において実行可能なメニュー項目の一覧を表示したメニュー表示画面、ループ機能の設定の選択を行うためのループ機能設定画面、表示する画像コンテンツを選択するための画像コンテンツ選択画面、メモリカード１１０に保存されている画像コンテンツの各ページを１ページずつ表示する全頁表示画面、画像コンテンツの１ページを拡大して表示する拡大表示画面等の様々な種類がある。各画面の種類に応じて不揮発性表示パネル１０６には様々な画像が表示される。
【００３６】
表示装置１００は表示中の画像と押下された操作キー１５８に応じて表示する画像を切り替える。このような様々な画面を表示する表示する表示装置１００の動作の一例を説明する。
【００３７】
メニュー表示画面では、表示装置１００で実行可能なメニュー項目の一覧が表示される。選択キー１５７のひとつに対して、対応する一つのメニュー項目が表示される。利用者は選択したいメニュー項目に対応する位置の選択キー１５７を押下することにより、所望のメニュー項目を選択することができる。メニュー表示画面では、「ループ機能設定」、「画像コンテンツ選択」等のメニュー項目が表示される。例えば、利用者が「ループ機能設定」に対応する選択キー１５７を押下した場合には、後述のループ機能設定画面が表示され、「画像コンテンツ選択」に対応する選択キー１５７を押下した場合には、画像コンテンツ選択画面が表示される。
【００３８】
ループ機能設定画面では、「ループ移動する」、「ループ移動しない」の二つの項目が表示される。それぞれの項目に対応する位置の選択キー１５７を押下することにより、ループ機能の設定を変更することができる。ループ機能設定画面で設定された設定は、ＲＡＭ１０３に一時的に記憶され、さらにこの時点でＥＥＰＲＯＭ１０４にも格納される。再度電源がオンされた場合には、このＥＥＰＲＯＭ１０４に記憶されている設定が再度ＲＡＭ１０３に読みだされ、読みだされた設定に基づいて表示装置１００は動作する。よって、電源がオフされる前に設定された設定を引き継ぐことができる。ループ機能設定画面を表示中に閉じるキー１５３が押下された場合は、メニュー表示画面が再度表示される。また、メニューキー１５２が押下された場合も、メニュー表示画面に書き換えられる。
【００３９】
画像コンテンツ選択画像では、選択キー１５７のそれぞれに対応する位置にメモリカード１１０に記憶されている画像コンテンツのコンテンツ名が表示される。選択キー１５７が押下された場合は、押下された選択キー１５７に対応する位置の画像コンテンツを表示する全頁表示画面に切り替わる。画像コンテンツ選択画像を表示中に閉じるキー１５３が押下された場合は、メニュー表示画面が再度表示される。また、メニューキー１５２が押下された場合も、メニュー表示画面に書き換えられる。
【００４０】
全頁表示画面では、利用者に選択された画像コンテンツの各ページの画像が１ページ毎に表示される。全頁表示画面では、次キー１５６が押下された場合、表示中のページが次のページに書き換えられる。また、前キー１５５が押下された場合、表示中のページが前のページに書き換えられる。また、拡大キー１５４が押下された場合は、表示中のページを拡大表示する拡大表示画面に切り替えられる。閉じるキー１５３が押下された場合は、コンテンツ選択画面に書き換えられる。また、メニューキー１５２が押下された場合はメニュー表示画面に書き換えられる。
【００４１】
拡大表示画面では、全頁表示画面で表示されていたページを拡大した画像を、上段、中断、下段の３分割したもののうち、いずれかの部分が９０度回転されて表示される。拡大表示画面表示中に次キー１５６が押下された場合、上段、中断が表示されているときは、一つ下の画像である中断もしくは下段の画像が表示される。また、下段が表示されている場合には、次のページの上段が表示される。また、前キー１５５が押下された場合、中断、下段が表示されているときは、一つ上の画像である上段もしくは中断の画像が表示される。拡大キー１５４が押下された場合は、全頁表示画面に切り替えられる。また、閉じるキーが押下された場合は、コンテンツ選択画面に書き換えられる。メニューキー１５２が押下された場合は、メニュー表示画面に書き換えられる。
【００４２】
このように、表示装置１００は表示中の画像と押下された操作キー１５８に応じて表示する画像を切り替える。尚、表示装置１００は画像が書き換えられる度に、表示中の画像の種類と、その種類に応じて表示中の画像を特定するための各種の情報とをＲＡＭ１０３に記憶し、その情報と押下された操作キー１５８の種類とに基づいて次に書き換える画像を特定する。例えば、全頁表示画面表示中は、表示画面の種別を特定する表示画面種別情報と、表示中のコンテンツを特定するコンテンツ名情報と、表示中のページを特定する表示ページ情報とが記憶される。また、拡大表示画面表示中の場合は、表示画面の種別を特定する表示画面種別情報と、表示中のコンテンツを特定するコンテンツ名情報と、表示中のページを特定する表示ページ情報と、表示中の拡大位置を特定する拡大位置情報とが記憶される。以下の説明においてこれらの情報をまとめて表示中画像情報と称す。図５に表示中画像情報の例を示す。図５では、全頁表示画面において、文書Ａというコンテンツの６ページ目の画像を表示中に記憶される表示中画像情報の一例と、拡大表示画面において、文書Ａというコンテンツの６ページ目の画像の上段を拡大表示している際に記憶される表示中画像情報の一例とを示す。
【００４３】
このような表示装置１００の詳細な動作について、フローチャートを用いて説明する。表示装置１００は、電源キー１５１が押下されると、バッテリー１０８またはアダプタ２００の電源からＣＰＵ１０１に電力の供給が開始され、ＣＰＵ１０１は図３に示すメイン処理を開始する。
【００４４】
メイン処理を開始するとＣＰＵ１０１は、起動処理を実行する（ステップ１０１、以下ステップをＳと称す）。起動処理では、ＣＰＵ１０１は各周辺機器を起動し、周辺機器の動作チェックを行う。そして、ＥＥＰＲＯＭ１０４に記憶されているループ機能設定等の各種の設定情報を読み出し、読みだした設定情報をＲＡＭ１０３に記憶させる。そして、不揮発性表示部１２０にメニュー画面を表示させる。そしてＲＡＭ１０３に表示画面種別情報として「全頁表示」を記憶する。
【００４５】
Ｓ１０１で起動処理を行った後、ＣＰＵ１０１は周期タスクであるキーイベント監視処理を開始する（Ｓ１０２）。このキーイベント監視処理では、利用者による操作キー１５８の操作を監視して、キーイベントを発生させるか否かを管理する。具体的には、操作キー１５８の操作に応じて後述のキー監視情報をＲＡＭ１０３に記憶する。次のＳ１０３では、このキー監視情報に基づいてキーイベントが発生したか否かを判断する。キーイベントとは、利用者により操作キー１５８が操作された場合に発生するイベントである。
【００４６】
ここで、キーイベント監視処理で記憶されるキー監視情報について図４を用いて説明する。キー監視情報は、キーイベントを発生させるか否かを示すキーイベント情報と、操作された操作キー１５８の種別を示すキー種別情報と、操作キー１５８が長押しされたか否かを示すキー状態情報との３種の情報から構成される。利用者により操作キー１５８が操作された場合には、キーイベントの発生を示す「発生」が、キーイベント情報としてＲＡＭ１０３に記憶される。利用者による操作が行われていない場合は、キーイベントの未発生を示す「未発生」が、キーイベント情報としてＲＡＭ１０３に記憶される。また、キーイベント情報として「発生」が記憶される場合、押下された操作キー１５８の識別情報が、キー識別情報としてＲＡＭ１０３に記憶され、押下された時間に応じて、一秒以上の押下を示す「長押」もしくはそれよりも短い時間の押下であることを示す「短押」が、キー状態情報としてＲＡＭ１０３に記憶される。図４に示す例では、次キー１５６が長押しされた場合に記憶されるキー監視情報を示す。キーイベント監視処理についての詳細は後述する。
【００４７】
Ｓ１０２でキーイベント監視処理を開始した後、上述のようにＣＰＵ１０１は、キーイベントが発生したか否かを、ＲＡＭ１０３のキー監視情報に基づいて判断する（Ｓ１０３）。ＲＡＭ１０３のキーイベント情報が「発生」である場合は（Ｓ１０３：ＹＥＳ）、表示中の画面の種類がメニュー画面であるか否かを、ＲＡＭ１０３に記憶されている表示画面種別情報に基づいて判断する（Ｓ１０４）。表示中の画面がメニュー表示画面である場合は（Ｓ１０４：ＹＥＳ）、メニュー表示処理（Ｓ１０５）を実行し、Ｓ１１１へ移行する。Ｓ１１１については後述する。メニュー表示処理においては、利用者により押下された操作キー１５８の操作に応じて画像を書き換える処理を行う。
【００４８】
表示中の画面がメニュー表示画面でない場合は（Ｓ１０４：ＮＯ）、表示中の画面が全頁表示画面であるか否かを、ＲＡＭ１０３に記憶されている表示画面種別情報に基づいて判断する（Ｓ１０６）。表示中の画面がメニュー表示画面である場合は（Ｓ１０６：ＹＥＳ）、全頁表示処理（Ｓ１０７）を実行し、後述のＳ１１１へ移行する。全頁表示処理においては、利用者により押下された操作キー１５８の操作に応じて画像を書き換える処理を行う。全頁表示処理の詳細は後述する。
【００４９】
表示中の画面が全頁表示画面でない場合は（Ｓ１０６：ＮＯ）、表示中の画面が拡大表示画面であるか否かを、ＲＡＭ１０３の記憶されている表示画面種別情報に基づいて判断する（Ｓ１０８）。表示中の画面が拡大表示画面である場合は（Ｓ１０８：ＹＥＳ）、拡大表示処理（Ｓ１０９）を実行し、後述のＳ１１１へ移行する。拡大表示処理においては、利用者により押下された操作キー１５８の操作に応じて画像を書き換える処理を行う。拡大表示処理の詳細は後述する。
【００５０】
表示中の画面が拡大表示画面でない場合は（Ｓ１０８：ＮＯ），その他の表示中の画面に応じた表示処理を実行し（Ｓ１１０）、Ｓ１１１へ移行する。尚、Ｓ１１０では、ループ機能設定画面や、画像コンテンツ選択画面等の各画面に応じて、操作に応じた画像の書き換えを行うが、ここでは説明を簡単にするため、説明を省略する。
【００５１】
このように、キーイベントが発生したと判断した場合は（Ｓ１０３：ＹＥＳ）、上述のＳ１０４〜Ｓ１１０において、表示中の画像と、押下された操作キー１５８の操作に応じて画像の書き換えが行われる。
【００５２】
次に、ＣＰＵ１０１は、電源キー１５１が利用者に押下されているか否かに基づいて、電源オフを行うか否かを判断する（Ｓ１１１）。電源オフを行うと判断した場合（Ｓ１１１：ＹＥＳ）、上述のＳ１０２で開始したキーイベント監視処理を停止する（Ｓ１１２）。
【００５３】
ＣＰＵ１０１は、キーイベント監視処理を停止した後、停止処理を実行する（Ｓ１１３）。停止処理では、表示中の画像を消去して、不揮発性表示部１１０の表示を白紙の状態にする。そして、ＲＡＭに記憶されていいたループ機能の設定などの各種の設定情報をＥＥＰＲＯＭ１０４に退避させ、周辺機器を停止させ、電力制御部１０７に対してＣＰＵ１０１及び周辺機器への電力供給を停止させる指示を出力し、メイン処理は終了する。
【００５４】
電源オフを行わないと判断した場合は（Ｓ１１１：ＮＯ）、Ｓ１０３へ移行し、再びＳ１０３〜Ｓ１１１の処理を繰り返す。尚、上述のＳ１０３において、ＣＰＵ１０１が、キーイベントが発生していないと判断した場合は（Ｓ１０３：ＮＯ）、Ｓ１１１へ移行して、キーイベントが発生するまで待機することになる。
【００５５】
このように、メイン処理では、表示中の画像と、利用者による操作とに応じて、画像の書き換えが行われる。
【００５６】
次に、上述のメイン処理のＳ１０２により開始されるキーイベント監視処理について、図６を参照して説明する。キーイベント監視処理は、上述のメイン処理と時分割で並列して実行される周期タスクである。キーイベント監視処理は、利用者による操作キー１５８の操作を監視して、上述のキー監視情報を介してメイン処理にキーイベントの発生を伝える。
【００５７】
キーイベント監視処理を開始すると先ず、ＣＰＵ１０１は、タイマー１１２により計時を行い、２０ｍｓｅｃ経過するまで待機する（Ｓ２０１）。２０ｍｓｅｃ経過した場合（Ｓ２０１：ＹＥＳ）、ＣＰＵ１０１は、キーポートの入力を確認し、操作キー１５８が押下されていること示す信号の入力があるか否かを判断する（Ｓ２０２）、操作キー１５８の押下を示す信号の入力がある場合は（Ｓ２０２：ＹＥＳ）、前回に入力があったか否かを示す押下状態情報を確認し、前回入力があったか否かを判断する（Ｓ２０３）。押下状態情報はＲＡＭ１０３に記憶されている。押下状態情報として、入力がなかったことを示す「非押下」が記憶されている場合は（Ｓ２０３：ＮＯ）、ＲＡＭ１０３に入力があったことを示す「押下」を押下状態情報としてＲＡＭ１０３に記憶する（Ｓ２０４）。これにより、次回のＳ２０３においては、前回の入力があったと判断される（Ｓ２０３：ＹＥＳ）。
【００５８】
Ｓ２０４においてＲＡＭ１０３の押下状態情報を記憶した後、キー監視情報のキーイベント情報として「発生」、キー種別情報として、押下されている操作キー２５８の識別情報、キー状態情報として１秒より短い時間の操作キー２５８の押下であることを示す「短押」をそれぞれ、ＲＡＭ１０３に記憶する（Ｓ２０６）。
【００５９】
Ｓ２０６において、キー監視情報をＲＡＭ１０３に記憶した後、ＣＰＵ１０１はタイマー１１２により計時を開始する（Ｓ２０７）。したがって、この時点から操作キー１５８の押下が１秒以上継続された場合に、後述のＳ２０３において長押の操作が行われたと判断される。
【００６０】
次に、ＣＰＵ１０１は上述のメイン処理において、キーイベント監視処理の停止が行われているか否かを判断する（Ｓ２０８）。キーイベント監視処理の停止が行われている場合は（Ｓ２０８：ＹＥＳ）、キーイベント監視処理を終了する。キーイベント監視処理の停止が行われていない場合（Ｓ２０８：ＮＯ）、Ｓ２０１へ移行し再び２０ｍｓｅｃ経過するまで待機する。
【００６１】
Ｓ２０３において、押下状態情報が「押下」であった場合には（Ｓ２０３：ＹＥＳ）、上述のＳ２０７または後述のＳ２１２においてスタートしたカウント値が１秒以上であるか否かを判断する（Ｓ２０９）。これにより利用者により長押が行われたか否かが判断されることになる。
【００６２】
１秒以上でない場合（Ｓ２０９：ＮＯ）、すなわち、利用者による長押の操作が完了していない場合は、Ｓ２０８移行する。
【００６３】
１秒以上である場合（Ｓ２０９：ＹＥＳ）、すなわち利用者による長押の操作が完了したと場合は、キーイベント情報として「発生」を記憶し、キー種別情報として押下されている操作キー１５８の識別情報を記憶し、キー状態情報として「長押」を記憶する（Ｓ２１０）。次にタイマー１１２によるカウント値をクリアし（Ｓ２１１）、再び、タイマー１１２によるカウントを開始して（Ｓ２１２）、Ｓ２０８へ移行する。
【００６４】
また、上述のＳ２０２において、入力がないと判断した場合は（Ｓ２０２：ＮＯ）、ＣＰＵ１０１はＲＡＭ１０３の押下状態情報が「押下」であるか否かを判断する（Ｓ２１３）。押下状態情報が「押下」である場合は（Ｓ２１３：ＹＥＳ）、押下状態情報として「非押下」を記憶し（Ｓ２１４）、タイマー１１２によるカウント値をクリアし（Ｓ２１５）、Ｓ２０５に移行する。
【００６５】
Ｓ２１３において押下状態情報が「非押下」であると判断された場合は（Ｓ２１３）、Ｓ２０５へ移行する。
【００６６】
このようにキーイベント監視処理においては、利用者の操作キー１５８の操作に応じてキーイベントの発生を監視する。
【００６７】
次にキーイベントが発生した場合に、操作キー１５８の操作と、表示中の画像に応じて画像を書き換える処理について、上述のメイン処理（図３）のＳ１０７の全頁表示処理と、Ｓ１０９の拡大表示処理を例に挙げて説明する。
【００６８】
図７に示すように、全頁表示処理を開始すると、ＣＰＵ１０１は利用者により押下されている操作キー１５８の種別が、次キー１５６のであるか否かを判断する（Ｓ３０１）。これは、ＲＡＭ１０３に記憶されているキー種別情報に基づいて判断される。次キー１５６である場合は（Ｓ３０１：ＹＥＳ）、全頁表示次キー処理を実行し（Ｓ３０２）、メイン処理に戻る。全頁表示次キー処理では、不揮発性表示パネル１０６の画像が次キー１５６の押下に応じた画像に書き換えられる。次キー１５６でない場合は（Ｓ３０１：ＮＯ）、押下されている操作キー１５８が前キー１５５であるか否かを判断する（Ｓ３０３）。
【００６９】
前キー１５５である場合は（Ｓ３０３：ＹＥＳ）、全頁表示前キー処理を実行し（Ｓ３０４）、メイン処理に戻る。全頁表示前キー処理では、不揮発性表示パネル１０６の画像が前キー１５５の押下に応じた画像に書き換えられる。前キー１５５でない場合は（Ｓ３０３：ＮＯ）、押下されている操作キー１５８が拡大キー１５４であるか否かを判断する（Ｓ３０５）。
【００７０】
拡大キー１５４である場合は（Ｓ３０５：ＹＥＳ）、全頁表示拡大キー処理を実行し（Ｓ３０６）、メイン処理に戻る。全頁表示拡大キー処理では、不揮発性表示パネル１０６の画像が拡大キー１５４の押下に応じた画像に書き換えられる。拡大キー１５４でない場合は（Ｓ３０５：ＮＯ）、その他の操作キー１５８に応じた画像に書き換えられ（Ｓ３０７）、メイン処理に戻る。
【００７１】
次に、全頁表示次キー処理（Ｓ３０２）の詳細について図８を参照して説明する。全頁表示次キー処理を開始すると、ＣＰＵ１０１はＲＡＭ１０３に記憶されたキー状態情報が「短押」であるか否かを判断する（Ｓ４０１）。「短押」である場合には（Ｓ４０１：ＹＥＳ）、ＣＰＵ１０１は不揮発性表示パネル１０６に表示中のページが、表示中のコンテンツの最終ページと一致するか否かを判断する（Ｓ４０２）。この判断は、ＲＡＭ１０３に記憶されている表示ページ情報と、表示中のコンテンツのデータが持つコンテンツのページ数とを比較することにより行う。
【００７２】
最終ページと一致しない場合は（Ｓ４０２：ＮＯ）、表示ページ情報が示すページを１ページ増加させて、ＲＡＭ１０３に新たな表示ページ情報を記憶する（Ｓ４０３）。次にＲＡＭ１０３に記憶されている、表示画面種別情報、表示コンテンツ名情報、表示ページ情報に対応する画像を不揮発性表示パネル１０６に表示させ（Ｓ４０４）、メイン処理に戻る。
【００７３】
最終ページと一致する場合は（Ｓ４０２：ＹＥＳ）、ＲＡＭ１０３に記憶されているループ移動設定が移動する設定であるか否かを判断する（Ｓ４０５）。移動する設定である場合は（Ｓ４０５：ＹＥＳ）、表示ページ情報として先頭ページ、即ちコンテンツの１ページ目に更新し（Ｓ４０６）、上述のＳ４０４に移行する。
【００７４】
移動する設定で無い場合は（Ｓ４０５：ＮＯ）、ＣＰＵ１０１は、ＬＥＤ表示部１１１を点滅させて（Ｓ４０７）、メイン処理に戻る。
【００７５】
ＲＡＭ１０３に記憶されているキー状態情報が「短押」出ない場合、即ち、「長押」の場合は（Ｓ４０１：ＮＯ）、Ｓ４０２と同様に表示中のページが最終ページであるか否かを判断する（Ｓ４０８）。最終ページで無い場合は、表示ページ情報を１０ページ増加し（Ｓ４０９）、それが最終ページより大きくなるか否かを判断する（Ｓ４１０）。増加させた表示ページ情報が示すページ数が、最終ページが示すページ数よりも大きくなる場合は（Ｓ４１０：ＹＥＳ）、表示ページ情報として最終ページをＲＡＭ１０３に記憶させ（Ｓ４１１）、新たな表示ページ情報が示すページを不揮発性表示パネル１０６に表示して（Ｓ４１２）、メイン処理に戻る。表示ページ情報が示すページが、最終ページよりも大きくない場合は（Ｓ４１０）、Ｓ４０９において記憶された表示ページ情報が示すページの画像を表示させて（Ｓ４１２）、メイン処理に戻る。
【００７６】
表示中のページが最終ページと一致する場合は（Ｓ４０８：ＹＥＳ）、ＣＰＵ１０１はＬＥＤ表示部１１１を点滅させる（Ｓ４１３）。そして、ＲＡＭ１０３の押下状態情報が、キー監視処理により、「非押下」に変更されるまで待機して（Ｓ４１４）、メイン処理に戻る。
【００７７】
次に、拡大表示処理（図３、Ｓ１０９参照）の詳細について説明する。図８に示すように、拡大表示処理を開始すると、ＣＰＵ１０１は利用者により押下されている操作キー１５８の種別が、次キー１５６であるか否かを判断する（Ｓ５０１）。これは、ＲＡＭ１０３に記憶されているキー種別情報に基づいて判断される。次キー１５６である場合は（Ｓ５０１：ＹＥＳ）、拡大表示次キー処理を実行し（Ｓ５０２）、メイン処理に戻る。拡大表示次キー処理では、不揮発性表示パネル１０６の画像が次キー１５６の押下に応じた画像に書き換えられる。次キー１５６でない場合は（Ｓ５０１：ＮＯ）、押下されている操作キー１５８が前キー１５５であるか否かを判断する（Ｓ５０３）。
【００７８】
前キー１５５である場合は（Ｓ５０３：ＹＥＳ）、拡大表示前キー処理を実行し（Ｓ５０４）、メイン処理に戻る。拡大表示前キー処理では、不揮発性表示パネル１０６の画像が前キー１５５の押下に応じた画像に書き換えられる。前キー１５５でない場合は（Ｓ５０３：ＮＯ）、押下されている操作キー１５８が閉じるキー１５３であるか否かを判断する（Ｓ５０５）。
【００７９】
閉じるキー１５３である場合は（Ｓ５０５：ＹＥＳ）、拡大表示閉じるキー処理を実行し（Ｓ５０６）、メイン処理に戻る。拡大表示閉じるキー処理では、不揮発性表示パネル１０６の画像が閉じるキー１５３の押下に応じた画像に書き換えられる。閉じるキー１５３でない場合は（Ｓ５０５：ＮＯ）、その他の操作キー１５８に応じた画像に書き換えられ（Ｓ５０７）、メイン処理に戻る。
【００８０】
次に、拡大表示次キー処理（Ｓ５０２）の詳細にについて図１０を参照して説明する。拡大表示次キー処理を開始すると、ＣＰＵ１０１はＲＡＭ１０３に記憶された拡大位置情報が、上段であるか否かを判断する（Ｓ６０１）。
【００８１】
上段である場合は（Ｓ６０１：ＹＥＳ）、ＲＡＭ１０３の拡大位置情報を中段に更新し（Ｓ６０２）、ＲＡＭ１０３に記憶されている、表示画面種別情報、表示コンテンツ名情報、表示ページ情報、拡大位置情報に対応する画像を不揮発性表示パネル１０６に表示させ（Ｓ６０３）、メイン処理に戻る。
【００８２】
拡大位置情報が上段で無い場合は（Ｓ６０１：ＮＯ）、拡大位置情報が中段であるか否かを判断する（Ｓ６０４）。中段である場合は（Ｓ６０４：ＹＥＳ）、ＲＡＭ１０３の拡大位置情報を下段に更新し（Ｓ６０５）、Ｓ６０３に移行する。
【００８３】
中段で無い場合は（Ｓ６０４：ＮＯ）、ＲＡＭ１０３の表示中ページ情報が表示中のコンテンツの最終ページであるか否かを判断する（Ｓ６０６）。最終ページで無い場合は（Ｓ６０６：ＮＯ）、表示中ページ情報を１ページ増加させたページに更新した後（Ｓ６０７）、拡大位置情報を上段に更新し（Ｓ６０８）、Ｓ６０３へ移行する。
【００８４】
表示中ページ情報が表示中のコンテンツの最終ページである場合は（Ｓ６０６：ＹＥＳ）、ＲＡＭ１０３のキー状態情報が「短押」であるか否かを判断する（Ｓ６０９）。「短押」である場合は（Ｓ６０９：ＹＥＳ）、ＲＡＭ１０３のループ移動設定が移動する設定であるか否かを判断する（Ｓ６１０）。ループ移動設定が移動する設定である場合（Ｓ６１０：ＹＥＳ）、表示ページ情報を先頭ページに更新し（Ｓ６１１）、上述のＳ６０８へ移行する。
【００８５】
キー状態情報が「短押」でない場合（Ｓ６０９：ＮＯ）、もしくは、ループ移動設定が移動する設定で無い場合（Ｓ６１０：ＮＯ）、ＣＰＵ１０１は、ＬＥＤ表示部１１１を点滅させて（Ｓ６１２）、ＲＡＭ１０３の押下状態情報が、キー監視処理により「非押下」に変更されるまで待機して（Ｓ６１３）、メイン処理に戻る。
【００８６】
図１１の画面遷移図を参照し、ループ機能設定が「移動する」設定になっている場合に、全頁表示画面で前キー１５５若しくは次キー１５６が短押されたときの画面の遷移について説明する。図１１は、１００ページからなるコンテンツの１００ページ目を表示しているときの画面の遷移の一例を示す。１００ページを表示中に前キー１５５が押下されると、１ページ前の９９ページに書き換えられる。９９ページを表示中に、次キー１５６が押下されると１００ページに書き換えられる。また、１００ページの画像を表示中に次キー１５６が押下されると、最初の１ページに書き換えられる。１ページの画像を表示中に前キー１５５が押下されると最後の１００ページに書き換えられる。尚、ループ機能設定が「移動しない」設定になっている場合は、１００ページを表示中に次キー１５６が押下された場合は、１ページの画像には書き換えられずＬＥＤがエラー点滅する。１ページの画像を表示中に前キー１５５が押下された場合も、１００ページの画像には書き換えられずにＬＥＤがエラー点滅する。
【００８７】
図１２を参照し、１００ページからなるコンテンツを全頁表示画面で表示中に利用者が次キー１５６を長押しした場合の画面の遷移を例にとって説明する。７５ページを表示中に、利用者が次キー１５６の長押しを開始した場合、まず、７６ページに書きかられ、その後、1秒毎に次キー１５６の押下が継続と判断されるため、1ページごとに１０ページずつページが書き換えられる。７６ページが表示された後、1秒後には８６ページが表示される。８６ページが表示された後、１秒後には９６ページが表示される。９６ページに１０加算すると１０６となり、最終ページの１００よりも大きいため、９６ページが表示された後、1秒後には１００ページ、即ち最終ページが表示される。１００ページが表示された後、さらに継続して１秒間次キー１５６の押下が続けられても不揮発性表示パネル１０６の表示は書き換えられずＬＥＤがエラー点滅する。１００ページを表示後は、次キー１５６を押下し続けても先頭ページの1ページには書き換えられない。したがって、1ページを表示させたい場合は、利用者は一度次キー１５６の押下をやめて再度次キー１５６を押下すれば、1ページを表示することができる。
【００８８】
拡大表示画面での画像の遷移の一例を、図１３を用いて説明する。全部で３ページのコンテンツを表示中の例を挙げて説明する。ループ機能設定が「移動する」設定になって要る場合は、次のとおりである。３ページ目の画像の上段を表示中に次キー１５６が押下された場合、３ページの中段の画像に書き換えられる。３ページの中段の表示中に次キー１５６が押下された場合、３ページの下段の画像に書き換えられる。そして、３ページの下段の画像を表示中に次キーが押下された場合は、１ページの上段が表示されることになる。一方、３ページの上段を表示中に、利用者が長押しを開始した場合は、次のようになる。利用者が次キー１５６の押下を行うと、先ず、３ページの中段に書き換えられる。その後、継続して1秒間押下が継続されていると、３ページの下段に書き換えられる。そして、その後1秒間押下が継続されても不揮発性表示パネル１０６の画像は書換えられず、ＬＥＤがエラー点滅する。
【００８９】
以上、本発明が適用された第一実施形態の表示装置１００について説明したが、本発明はこれに限定されない。
【００９０】
上述の第一実施形態としては所定の順序で配列する画像群として、画像のコンテンツの各ページの画像群や、画像コンテンツの各ページを拡大して三分割し、９０度回転した画像の画像群を例に挙げて説明したが、本発明はこれに限定されるものではない。
【００９１】
たとえば表示装置１００において、多数のコンテンツを複数のフォルダに分割して格納する場合などが考えられる。この場合、表示するコンテンツが格納されたフォルダを利用者に選択させるために、フォルダの一覧を表示して、利用者に選択させるフォルダ一覧画面を表示させる。このとき、フォルダ一覧が１画面に収まらず複数ページにわたる場合に、本発明を適用してもよい。フォルダ一覧が３つの画像にわたる場合の画面遷移の例について、図１４、１５を参照し説明する。
【００９２】
図１４を参照して、利用者が1秒よりも短い時間でキーの押下を止める短押しを行った場合の画面の遷移について説明する。図１４に示すように、1ページ目のファイル一覧の画像では、各選択キー１５７の対応する位置に「最終へ」の項目と、格納されているフォルダのうち１０個のフォルダ名と、「次へ」の項目とが表示されている。「最終へ」の項目に対応する位置の選択キー１５７を、以下の説明ではＢキーと称す。また「次へ」の項目に対応する位置の選択キー１５７を以下の説明ではＺキーと称す。フォルダ名に対応する位置の選択キー１５７が押下されると、その押下された選択キーに対応する位置のフォルダ内に格納されているコンテンツのコンテンツ名、または、フォルダ名の一覧が表示されることとなる。
【００９３】
フォルダ一覧の１ページ目を表示中に、Ｚキーまたは次キー１５６が押下されると、２ページ目のフォルダ一覧の画像に書き換わる。２ページ目のフォルダ一覧では、1ページ目で「最終へ」の項目が表示されていた位置に「前へ」の項目が表示される。２ページ目のフォルダ一覧を表示中に、Ｚキーまたは次キー１５６が押下されると、３ページ目のフォルダ一覧の画像に書き換わる。３ページ目のフォルダ一覧では、１ページ目で「次へ」の項目が表示されていた位置に「先頭へ」の項目が表示される。３ページ目のフォルダ一覧を表示中にＺキーまたは次キー１５６が押下されると、１ページ目のフォルダ一覧が表示される。このように、Ｚキーまたは次キー１５６が順次押下されることにより、フォルダ一覧のページが順次書き換えられることとなる。
【００９４】
一方フォルダ一覧の１ページ目を表示中に、Ｂキーまたは前キー１５５が押下されると、３ページ目のフォルダ一覧の画像に書き換わる。また、３ページ目のフォルダ一覧を表示中に、Ｂキーまたは前キー１５５が押下されると、２ページ目のフォルダ一覧の画像に書き換わる。また、２ページ目のフォルダ一覧の画像を表示中にＢキーまたは前キー１５５が押下されると、１ページ目のフォルダ一覧の画像に書き換わる。
【００９５】
図１５を参照して利用者が長押しをした場合における画面遷移の一例を説明する。１ページ目のフォルダ一覧を表示中に、利用者が次キー１５６の長押しを開始した場合を例に挙げて説明する。１ページ目のフォルダ一覧を表示中に利用者が次キー１５６の押下を開始すると、先ず、２ページ目のフォルダ一覧に書き換えられる。その後、１秒間押下が続けられると、３ページ目のフォルダ一覧に書き換えられる。３ページ目のフォルダ一覧に書き換えられた後、１秒以上押下が継続されても、１ページ目のフォルダ一覧には書き換えられず、ＬＥＤがエラー点滅する。３ページ目のフォルダ一覧を表示後、１ページ目のフォルダ一覧を表示させる場合は、利用者は一度次キー１５６の押下を止め、再度次キー１５６を押下することで、１ページ目のフォルダ一覧の画像に書換えることが可能である。Ｚキーの押下でも次キー１５６と同様にフォルダ一覧の画像は遷移する。これらのフォルダ一覧の画像の基となる基データは、ファームウェアを記憶したＲＯＭ１０２や、フォルダ名や、コンテンツ名のデータを記憶したメモリカード１１０に記憶されている。
【００９６】
尚、特許請求の範囲に記載の所定の順序は、昇順であっても良いし、降順であっても良い。
【符号の説明】
【００９７】
１００    表示装置
１０１    ＣＰＵ
１０２    ＲＯＭ
１０３    ＲＡＭ
１０４    ＥＥＰＲＯＭ
１０５    表示コントローラ
１０６    不揮発性表示パネル
１０７    電源制御部
１０８    バッテリー
１０９    メモリカードインターフェース
１１０    メモリカード
１１１    ＬＥＤ表示部
１１２    タイマー
１５０    操作部
２００    アダプタ
【図１】
2011022745.tif 000003
【図２】
2011022745.tif 000004
【図３】
2011022745.tif 000005
【図４】
2011022745.tif 000006
【図５】
2011022745.tif 000007
【図６】
2011022745.tif 000008
【図７】
2011022745.tif 000009
【図８】
2011022745.tif 000010
【図９】
2011022745.tif 000011
【図１０】
2011022745.tif 000012
【図１１】
2011022745.tif 000013
【図１２】
2011022745.tif 000014
【図１３】
2011022745.tif 000015
【図１４】
2011022745.tif 000016
【図１５】
2011022745.tif 000017